(57)【特許請求の範囲】
【請求項１】
水平な棚板上の左右の端部に配置された左右の拍子木に設けられ、前記棚板上の前記左右の拍子木間に左右方向にスライド自在に設けられた筬の左右の側面から突出するガイドピンに上方から当接した状態で、前記筬のスライドを案内するピアノの拍子木金具であって、
前記左右の拍子木の各々の内側面に形成された凹部に収容され、当該凹部の内壁面に上下方向に移動自在に取り付けられた金具本体と、
この金具本体の下端部に設けられ、前記筬の前記ガイドピンに上方から当接するピン押さえと、
前記各拍子木の前面から前方に臨むとともに回転操作可能な操作部を有し、前記金具本体に係合するとともに、当該操作部の回転運動を直線運動に変換するように構成され、前記操作部の回転操作に連動して前記金具本体を上下方向に移動させることにより、前記ピン押さえの上下方向の位置を調整する上下位置調整機構と、
を備えていることを特徴とするピアノの拍子木金具。
【請求項２】
前記上下位置調整機構は、
上下方向に延び、前記拍子木に上下方向に不動にかつ回転自在に支持され、下部が前記金具本体に螺合するとともに、上端部に第１かさ歯車部を有する第１調整ロッドと、
前後方向に延び、前記拍子木に前後方向に不動にかつ回転自在に支持され、前端部に前記操作部を、後端部に前記第１かさ歯車部に噛み合う第２かさ歯車部を有する第２調整ロッドと、
を有していることを特徴とする請求項１に記載のピアノの拍子木金具。
【請求項３】
前記ピン押さえは、前後方向に延びる軸線を中心として回動自在の回動体で構成されていることを特徴とする請求項１または２に記載のピアノの拍子木金具。
【発明の詳細な説明】
【技術分野】
【０００１】
本発明は、グランドピアノの左右の拍子木に設けられ、ソフトペダルの操作に伴って左右方向にスライドする筬を案内するピアノの拍子木金具に関する。
【背景技術】
【０００２】
グランドピアノでは一般に、鍵盤やアクション、ハンマーを載置した木製の筬が、水平な棚板上に左右方向にスライド自在に設けられている。この筬は、演奏者によるソフトペダルの操作に連動して、右方へ所定距離、シフトするように構成されており、それにより、演奏時にハンマーが上方の弦を打弦する位置が若干ずれることで、音色を変化させるなどのソフトペダル効果が得られるようになっている。また、筬には、左右の側面からそれぞれ突出するガイドピンが設けられており、ソフトペダルの操作時に、両ガイドピンが棚板上の左右の拍子木にそれぞれ設けられた拍子木金具で案内される。このような拍子木金具として、従来、本出願人がすでに出願した特許文献１に開示されたものが知られている。
【０００３】
この拍子木金具は、拍子木の内側面に形成された凹部に収容された状態で、その凹部の内壁面に固定された金具本体と、この金具本体に上下方向に移動自在に取り付けられ、筬のガイドピンに上方から当接するピン押さえと、金具本体に斜めにねじ込まれた調整ねじと、この調整ねじの先端部とピン押さえとの間に設けられたばねなどで構成されている。上記の調整ねじの頭部は、金具本体の上方に、内側に向かって斜めに傾いた状態で突出しており、上端面に工具挿入用の六角穴が形成されている。
【０００４】
このように構成された拍子木金具は、筬のガイドピンをピン押さえによって上方から適度な力で押さえることにより、ソフトペダルの操作に伴う筬の左右方向のスライドを案内するとともに、乾湿の影響による筬の反りなどに起因する筬の棚板からの浮き上がりやがたつきを防止する。また、上記の拍子木金具では、ピン押さえによるガイドピンの押さえ力を調整する場合、専用の工具を、拍子木と鍵盤の間の隙間から挿入し、調整ねじの頭部の六角穴に係合させて、その工具を回転操作する。これにより、調整ねじを回しながら、その上下方向の位置を調整し、それに伴い、ピン押さえも上下方向の位置が調整されることによって、ピン押さえによるガイドピンの押さえ力が調整される。
【先行技術文献】
【特許文献】
【０００５】
【特許文献１】特開２００１−２２２２７８号公報
【発明の概要】
【発明が解決しようとする課題】
【０００６】
左右の拍子木は通常、棚板の下方からねじ込まれた拍子木ねじによって、棚板に固定されている。このような拍子木に設けられた上記の拍子木金具では、拍子木を棚板に取り付けた状態のまま、調整ねじを回転操作することで、ピン押さえによるガイドピンの押さえ力を調整することが可能であり、また、調整ねじとピン押さえの間にばねを設けることにより、ガイドピンの押さえ力の微調整が行えるようになっている。しかし、この拍子木金具では、ガイドピンの押さえ力の調整作業を行う際に、専用の工具が必要であり、しかも、その工具を拍子木と鍵盤の間の非常に狭い隙間に斜めに挿入した状態で、工具を回転操作しなければならないため、調整作業が行いにくい。また、この調整作業の際には、工具が拍子木や鍵盤に当たりやすく、拍子木や鍵盤を傷付けてしまうおそれもある。したがって、上記の拍子木金具には改善の余地がある。
【０００７】
本発明は、以上のような課題を解決するためになされたものであり、拍子木や鍵盤などを傷付けることなく、ピン押さえによるガイドピンの押さえ力の調整作業を容易に行うことができるピアノの拍子木金具を提供することを目的とする。
【課題を解決するための手段】
【０００８】
上記の目的を達成するために、請求項１に係る発明は、水平な棚板上の左右の端部に配置された左右の拍子木に設けられ、棚板上の左右の拍子木間に左右方向にスライド自在に設けられた筬の左右の側面から突出するガイドピンに上方から当接した状態で、筬のスライドを案内するピアノの拍子木金具であって、左右の拍子木の各々の内側面に形成された凹部に収容され、凹部の内壁面に上下方向に移動自在に取り付けられた金具本体と、この金具本体の下端部に設けられ、筬のガイドピンに上方から当接するピン押さえと、各拍子木の前面から前方に臨むとともに回転操作可能な操作部を有し、金具本体に係合するとともに、操作部の回転運動を直線運動に変換するように構成され、操作部の回転操作に連動して金具本体を上下方向に移動させることにより、ピン押さえの上下方向の位置を調整する上下位置調整機構と、を備えていることを特徴とする。
【０００９】
この構成によれば、水平な棚板上の左右の拍子木にそれぞれ、筬の左右方向へのスライドを案内する拍子木金具が設けられている。各拍子木金具の金具本体は、対応する拍子木の内側面に形成された凹部に収容され、その内壁面に上下方向に移動自在に取り付けられており、この金具本体の下端部に、筬のガイドピンに上方から当接するピン押さえが設けられている。また、上下位置調整機構は、各拍子木の前面から前方に臨むとともに回転操作可能な操作部を有していて、金具本体に係合している。加えて、上下位置調整機構は、操作部の回転運動を直線運動に変換するように構成されている。ピン押さえによる筬のガイドピンの押さえ力を調整する場合、操作部を回転操作し、これに連動する上下位置調整機構によって、金具本体を上下方向に移動させる。これに伴い、ピン押さえも上下方向に移動し、その位置が調整されることによって、ガイドピンの押さえ力が調整される。このように、ピン押さえによるガイドピンの押さえ力の調整は、上下位置調整機構の操作部を回転操作することによって行われ、この操作部が、拍子木の前面から前方に臨んでいるので、従来に比べて、拍子木の外部から操作部に簡単にアクセスでき、それにより、拍子木や鍵盤などを傷付けることなく、ピン押さえによるガイドピンの押さえ力の調整作業を容易に行うことができる。
【００１０】
請求項２に係る発明は、請求項１に記載のピアノの拍子木金具において、上下位置調整機構は、上下方向に延び、拍子木に上下方向に不動にかつ回転自在に支持され、下部が金具本体に螺合するとともに、上端部に第１かさ歯車部を有する第１調整ロッドと、前後方向に延び、拍子木に前後方向に不動にかつ回転自在に支持され、前端部に操作部を、後端部に第１かさ歯車部に噛み合う第２かさ歯車部を有する第２調整ロッドと、を有していることを特徴とする。
【００１１】
この構成によれば、前後方向に延びる第２調整ロッドを、その前端部の操作部を介して回転させることにより、後端部の第２かさ歯車部も回転する。これに伴い、上記第２かさ歯車部に噛み合う第１かさ歯車部を上端部に有する第１調整ロッドも回転する。この第１調整ロッドは、拍子木に上下方向に不動に支持されていて、下部が、上下方向に移動自在の金具本体に螺合しているので、第１調整ロッドの回転に伴い、金具本体が上下方向に移動する。これにより、金具本体と一体に移動するピン押さえの上下方向の位置が調整されることによって、ピン押さえによるガイドピンの押さえ力が調整される。このように、上記構成の第１および第２調整ロッドにより、ピン押さえの上下方向の位置調整を行うための上下位置調整機構を容易に実現することができる。
【００１２】
請求項３に係る発明は、請求項１または２に記載のピアノの拍子木金具において、ピン押さえは、前後方向に延びる軸線を中心として回動自在の回動体で構成されていることを特徴とする。
【００１３】
この構成によれば、ピン押さえが、上記構成の回動体で構成されているので、ソフトペダルの操作によって、筬が左右方向にスライドするときには、ガイドピンに当接する回動体が回動する。これにより、ピン押さえがガイドピンに摺接しながら筬を案内する場合に比べて、スライドする筬に対する抗力を低減でき、ペダル操作を円滑に行うことができる。
【図面の簡単な説明】
【００１４】
【図１】本発明の一実施形態による拍子木金具を適用したグランドピアノにおいて、拍子木金具を、棚板、筬、鍵盤、拍子木および腕木などとともに示す斜視図である。
【図２】右側の拍子木に取り付けられた状態の拍子木金具を、拍子木および金具本体の一部を破断した状態で、左方から見たときの状態を示す図である。
【図３】拍子木金具を示す図であり、（ａ）は正面図、（ｂ）は側面図である。
【図４】回動体を示す図であり、（ａ）は正面図、（ｂ）は断面図である。
【図５】拍子木金具の上下方向の位置調整を説明するための図であり、（ａ）は、金具本体を下方に移動させたときの状態、（ｂ）は、金具本体を上方に移動させたときの状態を示す。
【発明を実施するための形態】
【００１５】
以下、図面を参照しながら、本発明の好ましい実施形態を詳細に説明する。図１は、本発明の一実施形態による拍子木金具を適用したグランドピアノにおいて、拍子木金具５０を、棚板２、筬３、鍵盤４、拍子木５および腕木６などとともに示している。なお、拍子木金具５０、拍子木５および腕木６はいずれも、棚板２の左右両端部に左右対称に設けられているが、図示の簡略化のために、図１では、演奏者側から見て、右側のもののみを示している。また、鍵盤４は、左右方向に並設された多数（例えば８８個）の鍵４ａによって構成されるが、図１では、白鍵および黒鍵を１つずつ示している。
【００１６】
図１に示すように、棚板２は、平面形状が横長矩形状に形成され、水平に配置されており、その左右両側に腕木６が位置するとともに、上面に筬３が載置されている。この筬３は、スプルスなどの木質材を井桁状に組み立てたものであり、左右方向に延びる筬前１１、筬中１２および筬後１３、ならびにこれらを連結する前後方向に延びる左右の筬妻１４、１４、およびそれらの間に互いに左右方向に間隔を隔てて配置された複数の筬中束１５などで構成されている。筬前１１および筬中１２にはそれぞれ、多数のフロントピン１６およびバランスピン１７（図１ではいずれも一部のみ図示）が立設されており、各鍵４ａが、対応するバランスピン１７を中心として揺動自在に支持されるとともに、フロントピン１６により横振れが防止されるようになっている。
【００１７】
なお、図示は省略するが、鍵盤４の後部には、一般的なグランドピアノと同様、左右方向に並んだ多数のアクションおよびハンマーが載置されており、両者が鍵４ａごとに設けられている。
【００１８】
また、筬前１１の左右の側面にはそれぞれ、拍子木金具５０によって左右方向に案内されるガイドピン１８、１８が水平に突出するように設けられている。さらに、筬中１２の下面には、球面状の頭部を有するボルトから成る複数（例えば６つ）の筬すべり金具（図示せず）が、筬中１２の長さ方向に沿って、互いに間隔を隔ててねじ込まれている。筬３は、これらの筬すべり金具の頭部、ならびに筬前１１および筬後１３の下面が棚板２に接しており、棚板２上において左右方向にスライド自在になっている。なお、筬前１１および筬後１３では、それらの下面の奥行き幅（前後方向の幅）が、上面のそれに比べて非常に小さく、棚板２に対する筬３の接触面積が小さいので、両者２、３の間に生じる摩擦力は、比較的小さくなっている。
【００１９】
また、筬３は、これに係合するキーレバーおよび突揚棒を介して、ソフトペダル（いずれも図示せず）に連結されている。このソフトペダルを、演奏者が踏むと、突揚げ棒およびキーレバーにより、鍵盤４、アクションおよびハンマーを載置した筬３が、右方にスライドしてシフトするのに伴い、ハンマーの打弦位置が若干ずれることで、音色を変化させるなどのソフトペダル効果を得ることができる。
【００２０】
拍子木５は、木製のブロック状のものであり、棚板２上の左右両端部に腕木６に隣接するように配置され、棚板２の下方からねじ込まれた拍子木ねじ（図示せず）によって、棚板２に固定されている。また、図１および図２に示すように、拍子木５の鍵盤４側の面である内側面には、拍子木金具５０を収容した状態で、これが取り付けられる金具収容部５３（凹部）が形成されている。この金具収容部５３は、鍵盤４側および下方に開放するように形成され、内壁面５３ａの下半部がさらに奥側に凹むように形成されている。また、拍子木５の上部には、上記金具収容部５３の上方に、後述するかさ歯車部５７ｂ、６２ｂを収容する歯車収容部５４が形成されるとともに、この歯車収容部５４と拍子木５の前方とを連通するロッド収容孔５５が形成されている。そして、このロッド収容孔５５には、円筒状のガイドスリーブ５６を介して、上下位置調整ロッド５７（第２調整ロッド）が、前後方向に不動にかつ回転自在に収容されている。
【００２１】
上下位置調整ロッド５７は、前後方向に、拍子木５の上記ロッド収容孔５５とほぼ同じ長さに延びるとともに、ガイドスリーブ５６の内径よりも若干小さい径を有するロッド本体部５７ａと、このロッド本体部５７ａの後端部に設けられ、拍子木５の歯車収容部５４に収容されたかさ歯車部５７ｂ（第２かさ歯車部）とで構成されている。ロッド本体部５７ａの前端部には、拍子木５の前方に臨み、外部から操作可能な操作部５７ｃが設けられている。この操作部５７ｃには、スクリュードライバーなどの工具の先端部が挿入可能な工具挿入溝が形成されている。また、かさ歯車部５７ｂは、後方に向かってテーパ状に形成され、最大径が、拍子木５のロッド収容孔５５の径よりも若干小さくかつガイドスリーブ５６の内径よりも大きく形成されている。
【００２２】
拍子木金具５０は、金属製の金具本体５１と、この金具本体５１の下端部に回動自在に支持され、筬３のガイドピン１８に上方から当接する回動体３２（ピン押さえ）と、金具本体５１を拍子木５の金具収容部５３内に取り付けるための取付金具６１と、金具本体５１と上下位置調整ロッド５７との間に設けられ、この上下位置調整ロッド５７の回転に伴って、金具本体５１を上下方向に移動させる昇降ロッド６２（第１調整ロッド）とを備えている。
【００２３】
上記の取付金具６１は、図３に示すように、正面形状が上下方向に延びる縦長矩形状の縦板部６１ａと、この縦板部６１ａの下端部から直角に屈曲する下板部６１ｂとで、側面形状がＬ字状に形成されている。この取付金具６１は、縦板部６１ａおよび下板部６１ｂがそれぞれ、金具収容部５３の内壁面５３ａおよびそれに連なる下面にぴったりと接した状態で、ねじ止めされている。また、縦板部６１ａの前後両端部には、上下方向の全体にわたって延びるとともに、正面側に突出し、金具本体５１を上下方向にガイドするためのガイド部６１ｃ、６１ｃが設けられている。さらに、縦板部６１ａの所定位置には、金具本体５１を取付金具６１に取り付けるためのねじ孔６１ｄが形成されている。
【００２４】
金具本体５１は、正面形状が縦長矩形状に形成されたブロック状のものであり、中央部に、上下方向に所定長さ延びる長孔５１ａが形成されている。そして、この長孔５１ａに取付ねじ６３が遊挿された状態で、取付金具６１のねじ孔６１ｄにねじ込まれている。なお、取付ねじ６３は、その頭部６３ａが金具本体５１から若干浮いた状態で、取付金具６１のねじ孔６１ｄにねじ込まれている。
【００２５】
金具本体５１の上部には、上下方向に所定長さ延びる雌ねじ部６４が設けられており、この雌ねじ部６４に前記昇降ロッド６２の下部が螺合している。この昇降ロッド６２は、上下方向に所定長さ延び、下半部に、金具本体５１の雌ねじ部６４に螺合する雄ねじ部６２ａを有している。また、昇降ロッド６２の上端部には、拍子木５の歯車収容部５４に収容された状態で、前記上下位置調整ロッド５７のかさ歯車部５７ｂに噛み合うかさ歯車部６２ｂ（第１かさ歯車部）を有している。そして、この昇降ロッド６２は、拍子木５に、上下方向に不動にかつ中心軸線を中心として回転自在に支持されている。
【００２６】
また、金具本体５１の下部には、前後方向に互いに所定間隔を隔てて下方に平行に延び、内側に回動体３２を支持する前後一対の支持部５１ｂ、５１ｂが設けられている。そして、これらの支持部５１ｂ、５１ｂには、前後方向に水平に延びる支軸３９の両端部が接着などによって固定され、この支軸３９に、回動体３２が回動自在に取り付けられるとともに、その両側面と支持部５１ｂ、５１ｂとの間にそれぞれ、スペーサ４５が設けられている。
【００２７】
図４に示すように、回動体３２は、いわゆる深溝玉軸受と同様に構成されており、支軸３９が貫通した状態で、それに取り付けられた内輪部４１と、この内輪部４１の外周側に設けられた外輪部４２と、これらの内輪部４１および外輪部４２の間に周方向に沿って配置された複数（本例では７つ）の玉４３などで構成されている。内輪部４１は、円筒状に形成されており、支軸３９の直径よりも若干大きい内径を有している。一方、外輪部４２は、その外周面４２ａが、ガイドピン１８の曲率よりも大きな円弧状に凹むように形成されており、この外周面４２ａが筬３のガイドピン１８に上方から当接する。また、複数の玉４３は、内輪部４１および外輪部４２の間に周方向に沿うように設けられた保持器（図示せず）によって、互いの距離が一定に保持されている。さらに、内輪部４１および外輪部４２の両側面には、両者４１および４２の間を塞ぐリング状のシールド４４が取り付けられている。
【００２８】
このように構成された回動体３２では、内輪部４１が支軸３９に対して、外輪部４２が支軸３９および内輪部４１に対して、回動自在になっている。
【００２９】
また、各スペーサ４５は、滑性を有する材料（例えばフッ素樹脂）で構成され、回動体３２の側面と同じ形状で、かつ金具本体５１の支持部５１ｂと回動体３２との間の隙間よりも若干薄い厚さを有するワッシャ状に形成されている。このようなスペーサ４５を、金具本体５１の両支持部５１ｂ、５１ｂと回動体３２の両側面との間に介在させることにより、回動体３２が筬３のガイドピン１８を案内しながら回動する際に、回動体３２の側面が支持部５１ｂの内面に直接、当たることがなくなる。したがって、回動体３２が支持部５１ｂに当たることによる雑音の発生を確実に防止しながら、回動体３２の円滑な回動を確保することができる。
【００３０】
以上のように構成された拍子木金具５０では、次のようにして、回動体３２による筬３のガイドピン１８の押さえ力の調整を行う。まず、拍子木５の前方から、スクリュードライバーなどの工具の先端部を、上下位置調整ロッド５７の操作部５７ｃの工具挿入溝に挿入する。そして、工具を回転操作し、例えば図５（ａ）に示すように、上下位置調整ロッド５７を反時計方向に回転させると、昇降ロッド６２が反時計方向に回転する。この場合、金具本体５１は、取付金具６１の前後のガイド部６１ｃ、６１および取付ねじ６３によって、昇降ロッド６２を中心とする回転が阻止される。その結果、金具本体５１は、ガイド部６１ｃ、６１ｃおよび取付ねじ６３で案内されながら、昇降ロッド６２が抜ける方向、すなわち下方に移動する。これに伴い、回動体３２が下降し、ガイドピン１８の押さえ力が大きくなるように調整される。逆に、図５（ｂ）に示すように、上下位置調整ロッド５７を時計方向に回転させると、昇降ロッド６２が時計方向に回転し、それにより、金具本体５１は、昇降ロッド６２がねじ込まれる方向、すなわち上方に移動する。これに伴い、回動体３２が上昇し、ガイドピン１８の押さえ力が小さくなるように調整される。
【００３１】
以上のように、本実施形態の拍子木金具５０によれば、回動体３２によるガイドピン１８の押さえ力を調整する場合、拍子木５の前方から、上下位置調整ロッド５７を回転操作するだけでよく、拍子木５を棚板２に取り付けた状態のまま、回動体３２を上下方向に移動させることによって、ガイドピン１８の押さえ力の調整を容易に行うことができる。しかもこの場合、上下位置調整ロッド５７の操作部５７ｃが、拍子木５の前面から外方に臨んでいるので、従来と異なり、拍子木４や鍵盤４などを工具で傷付けることなく、調整作業を行うことができる。
【００３２】
また、ソフトペダルの操作によって、筬３が左右方向にスライドするときには、ガイドピン１８に上方から当接する回動体３２の外輪部４２が回動するので、ガイドピンに摺接しながら筬を案内する従来の拍子木金具に比べて、スライドする筬３に対する抗力を低減することができる。これにより、ソフトペダルを踏み込む際にそれほど大きな力は必要なく、ペダル操作を円滑に行うことができる。
【００３３】
なお、本発明は、説明した上記実施形態に限定されることなく、種々の態様で実施することができる。例えば、実施形態では、回動体３２の上下方向の位置調整を行うための上下位置調整機構として、互いに直交し、かさ歯車部５７ｂ、６２ｂを介して連結された上下位置調整ロッド５７および昇降ロッド６２を採用したが、本発明の上下位置調整機構はこれに限定されるものではなく、拍子木５を棚板２に取り付けた状態のまま操作可能なものであれば、種々の構成の上下位置調整機構を採用することができる。また、実施形態で示した拍子木金具５０の細部の構成などは、あくまで例示であり、本発明の趣旨の範囲内で適宜、変更することができる。
【符号の説明】
【００３４】
２    棚板
３    筬
４    鍵盤
５    拍子木
１８    ガイドピン
３２    回動体（ピン押さえ）
３９    支軸（軸線）
５０    拍子木金具
５１    金具本体
５３    金具収容部（凹部）
５３ａ  内壁面
５７    上下位置調整ロッド（第２調整ロッド）
５７ｂ  上下位置調整ロッドのかさ歯車部（第２かさ歯車部）
５７ｃ  操作部
６２    昇降ロッド（第１調整ロッド）
６２ａ  昇降ロッドの雄ねじ部
６２ｂ  昇降ロッドのかさ歯車部（第１かさ歯車部）
６４    雌ねじ部
【図１】
0005624758.tif 000002
【図２】
0005624758.tif 000003
【図３】
0005624758.tif 000004
【図４】
0005624758.tif 000005
【図５】
0005624758.tif 000006